(57)【特許請求の範囲】
【請求項１】
回転子と当該回転子の外周に設けられた固定子とを備えた電動機であって、
前記回転子は、
強磁性体で構成された円筒形のヨークと、
前記ヨークの円筒形における円の中心において天面から底面に貫通するシャフトと、
前記ヨークの円筒形における外周側面に配置された複数の永久磁石と、
前記永久磁石を当該永久磁石の外周側から前記ヨークの中心方向に向かって付勢する樹脂性の磁石固定部と、
前記ヨークの円筒形の外周に前記天面から前記底面にわたり前記中心に向かう窪みとして設けられた凹部と、
前記凹部内にて前記永久磁石を前記ヨークの中心方向から当該永久磁石の外周方向に付勢する充填付勢部と、
前記充填付勢部が前記永久磁石と接する面の面積は、前記磁石固定部における前記永久磁石を前記中心方向に向かって付勢する面積よりも大きいことを特徴とする電動機。
【請求項２】
前記永久磁石は、
前記ヨークの回転方向に複数に分割されて配置されており、
前記凹部は、
前記複数の分割された永久磁石と同数設けられた請求項１記載の電動機。
【請求項３】
前記凹部は、一つの前記永久磁石に対して複数個設けられた請求項１から２のいずれかに記載の電動機。
【請求項４】
前記凹部は、
前記充填付勢部が前記永久磁石と接する面を底面とした断面視にしてアーチ形状である請求項１から３のいずれかに記載の電動機。
【請求項５】
前記凹部は、
前記充填付勢部が前記永久磁石と接する面を底面とした断面視にして三角形である請求項１から３のいずれかに記載の電動機。
【請求項６】
前記樹脂は、熱可塑性樹脂である請求項１から５のいずれかに記載の電動機。
【請求項７】
前記永久磁石は、フェライト焼結磁石である請求項１から６のいずれかに記載の電動機。
【発明の詳細な説明】
【技術分野】
【０００１】
本発明は、強磁性体で構成された円筒形のヨークと当該ヨークの外周側面に複数の永久磁石とを備えた回転子を有する電動機、回転子の製造方法に関するものである。
【背景技術】
【０００２】
従来、この種の電動機は、回転子として円筒形状のヨークと永久磁石を一体成形されたものが知られている（例えば、特許文献１参照）。以下、その電動機について図８を参照しながら説明する。
【０００３】
図８に示すように、従来の電動機は、円筒形状のヨーク１０１の外周側面に、中央部が端部に対して肉厚の偏肉形状である円弧形状を有する複数の永久磁石１０２が配置されており、樹脂１０３を充填することによって樹脂１０３と永久磁石１０２とヨーク１０１とが一体成形される構造になっている。
【０００４】
円弧形状の永久磁石１０２の外周側に樹脂を充填することで、回転子外周は真円となるため、回転子外周に設けられる固定子と回転子外周の物理的ギャップは均一となる。これに対して、永久磁石１０２は偏肉形状であるため、回転子外周に設けられる固定子と永久磁石１０２の外周面とのギャップは不均一に保持される。
【０００５】
これにより、回転子外周は真円とすることで物理的には安定させながらも、永久磁石１０２が作る磁界は緩やかに周期変動を有する、すなわち電動機の回転に適した構成とすることができる。
【先行技術文献】
【特許文献】
【０００６】
【特許文献１】特開２００１−２５１８１８号公報
【発明の概要】
【発明が解決しようとする課題】
【０００７】
このような従来の電動機においては、永久磁石１０２の寸法ばらつきにより、回転子と固定子の空隙の寸法がばらついてしまう。特に永久磁石１０２の外周側の面におけるばらつきは磁界のばらつきに直接影響するため、結果的に、電動機の効率が低下や回転時の振動騒音の悪化といった問題が発生する。さらに、図９に示すように、磁石の薄肉部近傍に形成される樹脂１０３周辺に、樹脂の薄片であるバリ１０４が発生し、当該バリ１０４が電動機の内部で剥がれ落ち、電動機の振動騒音が悪化するという課題を有していた。
【０００８】
そこで本発明は、上記従来の課題を解決するものであり、永久磁石の寸法がばらついた場合であっても、回転子が生成する磁界の周期変動を一定に保つことで、電動機の効率低下、振動騒音の発生、バリの発生を抑制した電動機を提供することを目的とする。
【課題を解決するための手段】
【０００９】
そして、この目的を達成するために、本発明に係る電動機は、回転子と当該回転子の外周に設けられた固定子とを備えた電動機であって、前記回転子は、強磁性体で構成された円筒形のヨークと、前記ヨークの円筒形における円の中心において天面から底面に貫通するシャフトと、前記ヨークの円筒形における外周側面に配置された複数の永久磁石と、前記永久磁石を当該永久磁石の外周側から前記ヨークの中心方向に向かって付勢する樹脂性の磁石固定部と、前記ヨークの円筒形の外周に前記天面から前記底面にわたり前記中心に向かう窪みとして設けられた凹部と、前記凹部内にて前記永久磁石を前記ヨークの中心方向から当該永久磁石の外周方向に付勢する充填付勢部とを備え、充填付勢部が永久磁石と接する面の面積は、磁石固定部における永久磁石を中心方向に向かって付勢する面積よりも大きいことを特徴とし、これにより所期の目的を達成するものである。
【発明の効果】
【００１０】
本発明によれば、円筒形のヨークに凹部を設けたことにより回転子の外径寸法のばらつきは無くなると共に回転子が生成する磁界の周期変動を一定に保つことができ、電動機の効率低下、振動騒音の発生、バリの発生を抑制できるという効果を得ることができる。
【図面の簡単な説明】
【００１１】
【図１】本発明の実施の形態１に係る電動機を示す断面図
【図２】図１に示す電動機１の下面視によるＡ−Ａ断面図
【図３】ヨーク及び永久磁石の配置を示す斜視図
【図４】実施の形態１に係る回転子を部分破断で示す断面図
【図５】金型を適応させた回転子の部分透過斜視図
【図６】実施の形態２に係る回転子を部分破断で示す断面図
【図７】実施の形態３に係る回転子を部分破断で示す断面図
【図８】従来の電動機の回転子を示す断面図
【図９】従来の回転子においてバリが発生した状態を示す側面図
【発明を実施するための形態】
【００１２】
本発明に係る電動機は、回転子と当該回転子の外周に設けられた固定子とを備えた電動機であって、前記回転子は、強磁性体で構成された円筒形のヨークと、前記ヨークの円筒形における円の中心において天面から底面に貫通するシャフトと、前記ヨークの円筒形における外周側面に配置された複数の永久磁石と、前記永久磁石を当該永久磁石の外周側から前記ヨークの中心方向に向かって付勢する樹脂性の磁石固定部と、前記ヨークの円筒形の外周に前記天面から前記底面にわたり前記中心に向かう窪みとして設けられた凹部と、前記凹部内にて前記永久磁石を前記ヨークの中心方向から当該永久磁石の外周方向に付勢する充填付勢部と、を備えたものである。
【００１３】
これにより、ヨークと永久磁石を一体成形する際に、凹部に樹脂が充填されながら外周方向に圧力が加えられることになり、磁石の寸法のばらつきがあっても回転子の外径寸法のばらつきは無くなる。これにより永久磁石の寸法がばらついた場合であっても、回転子が生成する磁界の周期変動を一定に保つことができるため、電動機の効率低下、振動騒音の発生、バリの発生を抑制できるという効果を奏する。
【００１４】
また、前記永久磁石は、前記ヨークの回転方向に複数に分割されて配置されており、前記凹部は、前記複数の分割された永久磁石と同数設けられた構成にしてもよい。
【００１５】
これにより、磁石間に樹脂が充填されて硬化し、これが全ての永久磁石の外周側からヨークの中心方向に向かって付勢する磁石固定部と一体となる。このため、全ての磁石について、保持強度が向上するという効果を奏する。
【００１６】
また、前記充填付勢部が前記永久磁石と接する面の面積は、前記磁石固定部における前記永久磁石を前記中心方向に向かって付勢する面積よりも大きい構成にしてもよい。
【００１７】
これにより、ヨークと永久磁石を一体成形する際に、円筒形ヨーク外周の凹部に樹脂が充填されながら外周方向に加えられる圧力は、磁石外周側に樹脂が充填されながら内周方向に加えられる圧力より大きくなる。結果的に磁石には外方向に圧力が加えられることになり、回転子の外周側における永久磁石の寸法のばらつきを無くすことができるという効果を奏する。
【００１８】
また、前記凹部は、一つの前記永久磁石に対して複数個設けられた構成にしてもよい。
【００１９】
これにより、凹部に樹脂が充填されながら外周方向に加えられる圧力が複数個に分散されるため、偏り無く磁石全体に圧力を加えることができるという効果を奏する。
【００２０】
また、前記凹部は、前記充填付勢部が前記永久磁石と接する面を底面とした断面視にして円弧形状である構成にしてもよい。
【００２１】
これにより、角部分への樹脂の充填が軽減され、樹脂流動が向上するという効果を奏する。
【００２２】
また、前記凹部は、前記充填付勢部が前記永久磁石と接する面を底面とした断面視にして三角形とする構成にしてもよい。
【００２３】
これにより、凹部に充填される樹脂量が減少し、材料費削減と軽量化を図ることができるという効果を奏する。
【００２４】
また、前記樹脂は、熱可塑性樹脂にしてもよい。
これにより、熱可塑性樹脂は不飽和ポリエステルを使用したＢＭＣ等に代表される熱硬化性樹脂に比べバリが発生しにくく、かつ薄肉形成もしやすいという効果を奏する。
【００２５】
また、前記永久磁石は、フェライト焼結磁石にしてもよい。
【００２６】
これにより、フェライト焼結磁石は酸化鉄、炭酸バリウム、炭酸ストロンチウムを主原料とし、
粉末冶金法によって比較的安価に製造されるため、電動機の資材費削減を図ることができるという効果を奏する。
【００２７】
また、回転子と当該回転子の外周に設けられた固定子とを備えた電動機における回転子の製造方法であって、円筒形の外周に当該円筒形の天面から底面にわたり当該円筒形における円の中心に向かう窪みとして設けられた凹部を備えたヨークを金型に配置する工程と、前記ヨークの外周に複数の永久磁石を配置する工程と、前記金型における前記永久磁石を当該永久磁石の外周側から前記ヨークの中心方向に向かって付勢するための磁石固定部を形成する金型部位と回転軸に垂直な両方の永久磁石端面に、略環状部を形成する金型部位と前記凹部とに熱可塑性樹脂を圧入する工程と、を備えた回転子の製造方法としてもよい。
【００２８】
これにより、ヨークへの永久磁石の固定に接着剤が不要なため、組立工数削減が削減できるとともに、ヨークと永久磁石が樹脂で一体に結合した機械的な保持構造により信頼性が向上するという効果を奏する。
【００２９】
以下、本発明の実施の形態について図面を参照しながら説明する。なお、以下の実施の形態は、本発明を具体化した一例であって本発明の技術的範囲を限定するものではない。また、全図面を通して、同一の部位については同一の符号を付して説明を省略している。さらに、各図面において、本発明に直接には関係しない各部の詳細については説明を省略している。
【００３０】
（実施の形態１）
図１は、本発明の実施の形態１に係る電動機を示す断面図である。図２は、図１に示す電動機１の破線Ａ−Ａにて切断した際の下面視よる断面図である。図３は、ヨーク及び永久磁石の配置を示す斜視図である。図４は、回転子を示す部分破断の断面図であり、左上四分の一が樹脂にて一体成形される前の状態の断面図、下半分が樹脂にて一体成形された状態の断面図、右上四分の一が樹脂にて一体成形された状態の外観図である。つまり、図４における下半分が図１におけるＡ−Ａ断面図（ただし回転子７のみ）に該当する。
【００３１】
以下、図１、図２、図３、図４を参照しながら本実施の形態に係る電動機の構成について説明する。
【００３２】
電動機１は、内転型のブラシレスＤＣモータであり、例えば、換気扇の駆動源として利用される。電動機１は、回転子７と固定子２とシャフト１１とを備えている。
【００３３】
回転子７は、ヨーク８と永久磁石９と樹脂１０とを備えている。
【００３４】
ヨーク８は、中心に貫通孔である中心孔２１を有する円盤を複数重ね合わせて構成される。ヨーク８は、鉄やコバルト等を含む強磁性体を主な素材とする円盤を複数重ねることにより、円筒形状を成している。
【００３５】
ヨーク８の外周には、天面から底面にわたり、中心に向かう窪みとして設けられた凹部２２が等間隔に複数個設けられている。
【００３６】
ヨーク８の側面には、同一形状かつ同一サイズである複数の永久磁石９が全周にわたって設けられている。
【００３７】
永久磁石９は、具体的にはフェライト焼結磁石であり、ヨーク８の外周部に等間隔に設けられている。永久磁石９は、ヨーク８から外周方向に突き出た突起部１６に挟まれることで円周方向に等間隔に位置決めされる。永久磁石９は、下面視、すなわち図２においては、中央部５０が端部５１に対して肉厚の偏肉形状である円弧形状を有しており、側面視においては矩形形状を有している。永久磁石９は、ヨーク８の外周部に配置された状態で樹脂１０によりヨーク８及び樹脂１０と一体成形されているが、詳細は後述する。なお、図３（ｂ）に、ヨーク８に永久磁石９が配置された状態の斜視図を示す。
【００３８】
樹脂１０は、永久磁石９の薄肉部つまり周方向における端部５１と、周方向両側に隣接する永久磁石９の端部５１との間に形成され、永久磁石９を外周側からヨーク８の中心方向に向かって付勢する磁石固定部２３を備えている。
【００３９】
また樹脂１０は、ヨーク８の外周に設けられた凹部２２に充填される樹脂により、永久磁石９をヨーク８の中心方向から永久磁石９の外周方向に付勢する充填付勢部２４が形成される。ここで、凹部２２は、充填付勢部２４が永久磁石９と接する面を底面とした断面視にして円弧形状を有する空間である柱状の空間である。
【００４０】
磁石固定部２３と充填付勢部２４とは、永久磁石９の天面側端部にて樹脂１０の天面部で、そして永久磁石９の底面側端部にて樹脂１０の底面部でそれぞれ接続されている。この接続状態における天面部は、図４の右上四分の一に示された、樹脂にて一体成形された状態の外観図に示される。
【００４１】
磁石固定部２３と充填付勢部２４は、ヨーク８の全外周（３６０度）にわたってそれぞれ等間隔に設けられている。充填付勢部２４は、ヨーク８の天面から底面にかけて連続した棒状の柱として設けられていると共に、ヨーク８の外周にて永久磁石９の内周と接している。磁石固定部２３はヨーク８の天面から底面にかけて連続した棒状の柱として設けられていると共に、隣接する永久磁石９の端部両面に接している。
【００４２】
ヨーク８の中心に設けられた中心孔２１には、円筒形状における天面から底面にかけてシャフト１１が挿入され固定されている。
【００４３】
シャフト１１には２つの軸受１２ａ、１２ｂがヨーク８の天面側及び底面側（図１における上下方向）にそれぞれ設けられている。
【００４４】
軸受１２ａ、１２ｂは、シャフト１１を中心軸として回動可能に保持している。
【００４５】
固定子２は、固定子鉄心１５とインシュレータ３と巻線４とモールド固定子６とブラケット１３を備え、回転子７の外周に設けられている。
【００４６】
固定子鉄心１５は、中空円筒形状を成し、円筒形状の壁部において天面から底面にかけて貫通孔５２を備えている。貫通孔は、円周方向に等間隔に設けられており、貫通孔５２の内面を覆うようにインシュレータ３が天面及び底面側から挿入されている。
【００４７】
インシュレータ３は、絶縁材にて形成され、それぞれに巻線４が巻装されている。
【００４８】
巻線４は、端部がプリント基板５に接続され、当該プリント基板５が電源に接続されることで通電される。インシュレータ３と巻線４とプリント基板５とは樹脂にて一体的にモールド成型され、モールド固定子６を構成している。
【００４９】
固定子鉄心１５は、中空円筒形状において円形を成す内周面５４が、永久磁石９の外周面と対向させて配置されている。このような配置状態で、モールド固定子６の天面側開口部をブラケット１３で圧入、封止し、２つの軸受１２ａ、１２ｂの外周がモールド固定子６に固定されることで、回転子７が固定子２に回動可能に固定される。
【００５０】
以上が電動機１の構成である。
【００５１】
続いて、図１及び図５を参照しながら回転子７の製造工程、つまりヨーク８と永久磁石９を樹脂１０で一体成形する工程について説明する。図５は、金型を適応させた回転子の部分透過斜視図である。なお図５において、点線で示した外郭が後述する金型の内部空間を構成する。
【００５２】
まず、一体成形用の金型Ｘの所定の位置にヨーク８を配置する。金型Ｘの内部空間は円筒形状を有しており、内部空間の底面からはヨーク８と同軸かつヨーク８よりも直径の短い凸形状の台座部が天面方向に突出している。台座部の上面の直径は、ヨーク８の直径から凹部２２の中心軸方向の長さを引いた値よりもさらに短い。
【００５３】
ヨーク８を内部空間の中心部に配置することで、台座部は金型Ｘ内の高さ方向において中央近傍にヨーク８を保持する。
【００５４】
次に、ヨーク８の外周に複数の永久磁石９を等間隔で配置する。当該配置時には、永久磁石９を突起部１６に挟まれる位置に配置する。これにより、凹部２２は永久磁石９の内周側における略中央に位置決めされる。永久磁石９の外周面は中央部が端部に対して肉厚の偏肉形状である円弧形状であるため、この配置により、外周面の周方向における中央部６１が金型Ｘの内部空間における内周側面と接する。
【００５５】
また金型Ｘの底面であって台座部の外周には、永久磁石９を金型Ｘの底面から浮かせて保持する円柱状突起６２が永久磁石９に対応させて設けられている。円柱状突起６２は永久磁石９の底面に比較して小さな面積で永久磁石９を金型Ｘの底面から僅かに浮かせて保持する。
【００５６】
次に、永久磁石９を全周にわたって配置した後、ヨーク８の天面に金型Ｙを配置する。金型Ｙは台座部の上下を逆転させた凹形状をしており、つまり底面はヨーク８よりも直径の短い円柱状を成している。金型Ｙを配置した状態では、ヨーク８は底面を金型Ｘの台座部及び天面を金型Ｙによって挟持されている。また金型Ｘの天面側端部と金型Ｙの天面側端部とは同一平面上に位置し、当該平面は永久磁石９の天面側端部から僅かな空間６３を空けた上方に位置する。
【００５７】
次に、前記平面に併せて金型Ｚが配置される。金型Ｚは、中空円盤形状を有し、上面視にしていわゆるドーナツ形状の板である。これにより、金型Ｘの内部空間は、金型Ｙと金型Ｚとにより閉じられた状態となる。なお、金型Ｚの上部には、樹脂を注入するための開口部、すなわちゲート６４が等間隔で配置されている。
【００５８】
このような状態で、ゲートからに熱可塑性樹脂すなわち樹脂を圧入する。
【００５９】
熱可塑性樹脂の圧入によって、樹脂は、まず永久磁石９の天面側端部から僅かな空間を空けた上方すなわち略環状部２５に圧入、充填される。
【００６０】
その後、隣接する永久磁石９の隙間、すなわち磁石固定部２３とヨーク８の外周の凹部２２とに圧入、充填される。
【００６１】
この際、永久磁石９の外周面は中央部が端部に対して肉厚の偏肉形状である円弧形状であるため、永久磁石９の両端部はその外周側に樹脂が充填され、磁石固定部２３を形成する。そして樹脂の圧入により形成された磁石固定部２３は、永久磁石９を外周側からヨーク８の中心方向に向かって成型圧力が掛かり、すなわち付勢する。
【００６２】
また、ヨーク８の外周、つまり永久磁石９の内周にある凹部２２の内部に樹脂を圧入されることにより充填付勢部２４が形成される。本実施の形態においては、凹部２２は底面が永久磁石９と接するアーチ形状であり、かつヨーク８の天面から底面までを貫通している。このため、充填付勢部２４は断面がアーチ形状を有する棒体となる。そして、樹脂の圧入により形成された充填付勢部２４は、永久磁石９をヨーク８の中心方向から外周方向に向かって成型圧力が掛かり、すなわち付勢する。
【００６３】
このとき、充填付勢部２４が永久磁石９と接する底面の面積（図２における線６５）が、磁石固定部２３における永久磁石９を中心方向に向かって付勢する面積（図２における二本の線６６）より大きい場合、永久磁石９には、ヨーク８の中心方向から永久磁石の外周側に向かって圧力が加えられることになる。
【００６４】
これにより、永久磁石９の寸法がばらついた場合でも、このばらつきは永久磁石９の内側で吸収される。言い換えると、回転子の外周面に対しては永久磁石９が整列することになり、固定子２に対する磁界が安定する。固定子２と回転子７との間の隙間すなわちギャップは回転子７の径に対して非常に微小であるが、この微小なギャップが回転に大きな影響を与えることが知られている。本実施の形態では、このギャップに対向する永久磁石９を充填付勢部２４の付勢によって整列させることで規則正しい磁界を生成させ回転子が生成する磁界の周期変動を安定させるため、電動機の効率低下、振動騒音の発生を抑制することができる。また、永久磁石９を外周側に付勢することによりバリの発生を抑制することができるため、当該バリが電動機の内部で剥がれ落ち、電動機１に想定外の振動や騒音が発生することを抑制することができる。
【００６５】
樹脂が磁石固定部２３及び充填付勢部２４を満たした後に圧入を続けると、樹脂は金型Ｘの底面であって台座部の周囲まで充填される。この状態で樹脂が固化することで、永久磁石９の底面側端部に構成された底面部（略環状部６７）で磁石固定部２３と充填付勢部２４とが接続された状態となる。また永久磁石９の天面側端部に構成された天面部（略環状部２５）で、磁石固定部２３と充填付勢部２４とが接続された状態となる。これにより永久磁石９は上下方向についても樹脂１０に把持されて安定する。なお、磁石固定部２３と充填付勢部２４とが接続されているということはつまり注入は同時に行われ、単位面積当たりに掛かる圧力も同一となる。
【００６６】
上述した手順で製造され、金型を外した状態の回転子７の斜視図を図５（ｂ）に示す。永久磁石９の中央部６１は、充填付勢部２４の付勢により、回転子７の外周側面に整列されて真円を構成しており、さらに付勢によりバリも生じない。
【００６７】
（実施の形態２）
図６は、実施の形態２における電動機の回転子を示す部分破断の断面図であり、左上四分の一が樹脂にて一体成形される前の状態の断面図、下半分が樹脂にて一体成形された状態の断面図、右上四分の一が樹脂にて一体成形された状態の外観図である。
【００６８】
本実施の形態においては、ヨーク８に設けられた凹部３２、及び充填付勢部３４の形状は、断面視にして永久磁石９と接する面を底面とした三角形を成し、回転軸方向に棒状に長い三角柱である。
【００６９】
凹部３２及び充填付勢部３４の形状を円弧形状ではなく三角柱にすることで、充填付勢部３４が永久磁石９と接する面の面積を同等としながら、樹脂量を減少させることができ、材料費削減と軽量化を図ることができる。
【００７０】
（実施の形態３）
図７は、実施の形態３における電動機の回転子を示す部分破断の断面図であり、左上四分の一が樹脂にて一体成形される前の状態の断面図、下半分が樹脂にて一体成形された状態の断面図、右上四分の一が樹脂にて一体成形された状態の外観図である。
【００７１】
ヨーク８の外周には天面から底面にわたり、中心に向かう窪みとして設けられた凹部４２を有する。ここで、凹部４２は、一つの永久磁石９に対して複数個設けられている。一つの永久磁石９に設けられた凹部４２は、永久磁石９の周方向に対して均等に配置されており、樹脂の圧入によって構成される充填付勢部４４は、永久磁石９を外周方向に均一に付勢する。また、充填付勢部４４が永久磁石９と接する面の合計面積が、磁石固定部２３の永久磁石９を中心方向に向かって付勢する面積より大きい。
【００７２】
これにより、永久磁石９の寸法がばらついた場合でも、回転子の外周面に対しては永久磁石９が整列することになり、固定子２に対する磁界が安定する。これにより、電動機の効率低下、振動騒音の発生、バリの発生を防ぐことができる。
【００７３】
ここで、充填付勢部４４を一つの永久磁石９に対して複数個設けることで、充填付勢部４４が永久磁石９と接する面の面積を例えば実施の形態１と同等としながら、ヨーク８の中心方向から永久磁石９の外周側に向かって加えられる圧力を分散できる。このため偏り無く永久磁石９石全体に圧力を加えることができ、より安定して回転子の外径寸法のばらつきを無くすことができる。
【産業上の利用可能性】
【００７４】
本発明に係る電動機は、効率低下、振動騒音の発生、バリの発生を抑制することが可能であり、例えば、換気扇などの駆動用電動機に適用できる。
【符号の説明】
【００７５】
１・・・電動機
２・・・固定子
３・・・インシュレータ
４・・・巻線
５・・・プリント基板
６・・・モールド固定子
７・・・回転子
８・・・ヨーク
９・・・永久磁石
１０・・・樹脂
１１・・・シャフト
１２ａ、１２ｂ・・・軸受
１３・・・ブラケット
１５・・・固定子鉄心
１６・・・突起部
２１・・・中心孔
２２、３２、４２・・・凹部
２３・・・磁石固定部
２４、３４、４４・・・充填付勢部
２５、６７  ・・・略環状部
５０・・・中央部
５１・・・端部
５２・・・貫通孔
５４・・・内周面
６１・・・中央部
６２・・・円柱状突起
６３・・・空間
６４・・・ゲート
Ｘ、Ｙ、Ｚ・・・金型
【図１】
0006586633.tif 000002
【図２】
0006586633.tif 000003
【図３】
0006586633.tif 000004
【図４】
0006586633.tif 000005
【図５】
0006586633.tif 000006
【図６】
0006586633.tif 000007
【図７】
0006586633.tif 000008
【図８】
0006586633.tif 000009
【図９】
0006586633.tif 000010